(57)【要約】      （修正有）【課題】ベッドに寝た状態からベッド下部に設置した汎用の水洗トイレへ自然な着座を行い、温水噴出口を有するチャンバーを設置し、臀部の汚れを取り除くことで、快適な介護ベッドを提供する。【解決手段】洋式水洗トイレの上に、ベッド５の外枠２があり、内枠１が組み込まれ、回転軸８を中心に回転出来る構成とする。臀部の部分の位置にはチェンバー３及びシート４の緩みと傾きを補正する水平バー７が、外枠に付けたＬ字フック９により水平を保ち、Ｖライン張力帯６で張力を補完する。ベッドは背もたれ部床５１と臀部下部床５２と足部床５３の構成で、便座に着座すると、足部床５３をモーターＡにより収納して、足を地面に降ろす。シートは後方へ巻き取られ、トイレが利用可能になる。この時、モーターＢにより便座の蓋も開放している。トイレ利用後は、ウオッシュレットでは取り切れない汚れは、チャンバーの温水噴出口３１よりの温水で洗浄する。【選択図】図１
2016077828.tif 000002
【特許請求の範囲】
【請求項１】
洋式水洗トイレ（フラッシュバルブ式トイレに乾燥機能付き洗浄便座装着）をベッド下部に設置し、ベッドは内枠と外枠と床に別れて、内枠は外枠に対して０度〜α度回転する構成とし、内枠には臀部を包み温水で臀部を洗浄出来るチェンバー（室、空間）と（便器への）ソフトランディング用高張力シートを設置し、ベッドの床部は足部床と臀部下部床と背もたれ部床に別れる構成とし、モーターＡは背もたれ部床を起こすと共に足部床を開き、モーターＢは内枠を回転させ便座面までの上下と便座の蓋の開閉を行うことを特徴とする臀部洗浄機能及び水洗トイレ付き介護ベッド。
【請求項２】
前記内枠に、Ｔ字型の高張力メッシュタイプのシートを敷き、外枠と内枠の位置の変化によるシート張力の緊張／弛緩を利用して便座へのソフトランディングを行うことを特徴とする臀部洗浄機能及び水洗トイレ付き介護ベッド。
【請求項３】
前記内枠のチェンバーには、温水噴出口を設置し、水洗トイレの洗浄機能で取り切れない汚れを洗浄することを特徴とする臀部洗浄機能及び水洗トイレ付き介護ベッド。
【請求項４】
前記シートには、水平バーを設置し、回転移動時に外枠に付けたＬ字フックに掛けることにより、（回転による）緩みの差分を吸収することを特徴とする請求項２及び請求項１記載の臀部洗浄機能及び水洗トイレ付き介護ベッド。
【請求項５】
前記シートには、Ｖライン張力帯（帯）を付加して張力を補完し、安定的なソフトランディング機能を提供することを特徴とする請求項２及び請求項１記載の臀部洗浄機能及び水洗トイレ付き介護ベッド。
【発明の詳細な説明】
【技術分野】
【０００１】  この発明は、介護ベッドにトイレ機能を設置する際の構成、形状及び動作に関する。
【背景技術】
【０００２】  従来の介護ベッドに於ける一人でトイレに行けない方の排泄は、脇に置いたポータブルトイレを利用するか、または、車椅子に乗ってトイレまで移動しており、利便性が悪かった。また、従来の介護ベッドのシステムは、介護人の利便性や効率性を追求した物であった。
特許文献１の介護ベッド及び入浴システムは、ＩＣ制御による半自動化、携帯電話を使った利便性であり、利用者の使いやすさや心地良さの面では課題があった。
特許文献２の「ベッド、及び〜  兼用パジャマ」では、シリコンゴム等の材料、臀部指示構造体の形状、水着仕様の下着、等を利用しているが、やはり、利用者の使いやすさや心地良さの面では課題があった。
特許文献３のように、車椅子の移乗をなくした介護ベッドシステムが提案されているが、ベッド状態と被介護者が座位できる車椅子状態に変換可能に構成した車輪付介護ベッドで、四角状の枠体を用いて、直線的な下降／上昇を行っているので、利用者の心地良さやスムーズさなどの面からは、やはり、課題があった。
特許文献４に示すような、入浴、排便させる介護を一人で行えるように組み合わせた床ずれ防止機能を備えた介護ベッドが提案されているが、これは、寝たまま使用出来ると言うものであり、利用者心理的圧迫感や心地良さなどの面からは、やはり、課題があった。
特許文献５に示すような、介護ベッド用トイレ装置が提案されているが、排泄物の確実な排出や利用者の腰部・臀部洗浄を容易にするものであり、利用者心理的圧迫感や心地良さなどを解決するものではなかった。
【先行技術文献】
【特許文献】
【０００３】
【特許文献１】特許公開２０１３−０２２０３２
【特許文献２】特許公開２０１２−１１５６３４
【特許文献３】特許公開２０１０−２６８８７２
【特許文献４】特許公開２００９−２７９３６１
【特許文献５】特許公開２００７−７５３０９
【非特許文献】
【０００４】  なし
【発明の概要】
【発明が解決しようとする課題】
【０００５】  以上の技術では、障がい者・難病患者・高齢者の方などが求める、ベッドに居ながら、通常の水洗トイレを自力で使える介護ベッドは実現できない。
そこで、この発明は、ベッドに寝た状態からベッド下部に設置した汎用の水洗トイレへの自然な着座を行い、健常者と何ら変わらない排泄を実現することで、排泄時における利用者の心理的圧迫感をなくし、心地良さを実現する。また、温水噴出口を有するチャンバーを設置し、水洗トイレの洗浄機能では取れない臀部の汚れを取り除くことで、快適な介護ベッドを提供することを課題とする。
【課題を解決するための手段】
【０００６】  以上の課題を解決するために、第一発明は、洋式水洗トイレ（フラッシュバルブ式トイレに乾燥機能付き洗浄便座装着）をベッド下部に設置し、ベッドは内枠と外枠と床に別れて、内枠は外枠に対して０度〜α度回転する構成とし、内枠には臀部を包み温水で臀部を洗浄出来るチェンバー（室、空間）と（便器への）ソフトランディング用高張力シートを設置し、ベッドの床部は足部床と臀部下部床と背もたれ部床に別れる構成とし、モーターＡは背もたれ部床を起こすと共に足部床を開き、モーターＢは内枠を回転させ便座面までの上下と便座の蓋の開閉を行うことを特徴とする臀部洗浄機能及び水洗トイレ付き介護ベッド。
第二発明は、前記内枠に、Ｔ字型の高張力メッシュタイプのシートを敷き、外枠と内枠の位置の変化による張力の緊張／弛緩を利用して便座へのソフトランディングを行うことを特徴とする臀部洗浄機能及び水洗トイレ付き介護ベッド。
第三発明は、前記内枠のチェンバーには、温水噴出口を設置し、水洗トイレの洗浄機能で取れない汚れを取り除くことを特徴とする臀部洗浄機能及び水洗トイレ付き介護ベッド。
第四発明は、前記シートには、水平バーを設置し、回転移動時に外枠に付けたＬ字フックに掛けることにより、（回転による）緩みの差分を吸収することを特徴とする請求項２及び請求項１記載の臀部洗浄機能及び水洗トイレ付き介護ベッド。
第五発明は、前記シートには、Ｖライン張力帯（帯）を設置して張力を補完し、安定的なソフトランディング機能を提供することを特徴とする請求項２及び請求項１記載の臀部洗浄機能及び水洗トイレ付き介護ベッド。
【発明の効果】
【０００７】  第一発明、第二発明、第三発明、第四発明、及び第五発明により、自力で、ベッドから水洗トイレへ移動し、便座へのソフトランディングを行い、自力排便・排尿、臀部洗浄を行い、その後ベッドへ戻ることを手助けする機能を持った臀部洗浄機能及び水洗トイレ付き介護ベッドを提供でき、
○  トイレでの移動行動の究極の利便化が図れる
○  夜のトイレの不自由さを解消
○  介護人の不要化、または、最小限化が図れる
○  ベッドでの排泄時に、利用者の心理的圧迫感を軽減し、心地良さを実現する
○  臀部洗浄により排泄後の快適性を得られる
○  モーターにより自力対応が可能で、介護人が不要となり、羞恥心から解放される
等の、効果がある。
【図面の簡単な説明】
【０００８】
【図１】この発明の一実施形態を示す斜視図で、階層形式で構成イメージを示す。
【図２】この発明の一実施形態を示す上面図と側面図である。上面図では水洗トイレ、外枠２，内枠１，チャンバー３、チャンバーの開口部３２の位置関係を示す。側面図では、外枠２と内枠１の回転イメージを示す。
【図３】この発明の一実施形態を示す上面図と側面図（寝ている状態）である。上面図は、ベッド５の背もたれ部床５１，臀部下部床５２，足部床５３の位置関係を示す。側面図は、水洗トイレ、チャンバー３，シート４，ベッド５の位置関係を示す。背もたれ部床５１と足部床５３を動かすモーターＡと内枠１の回転と便座の開閉を行うモーターＢの位置関係も示す。
【図４】この発明の一実施形態を示す上面図（シート設置した状態）と側面図及び正面図である。図３と同様に、位置関係を示す。正面図は、内枠と外枠にまたがるように掛けられたシート４の関係を示す。この状態では、内枠１と外枠２は同じ高さなので、張っている状態である。
【図５】この発明の一実施形態を示す上面図（Ｖライン張力帯を設置した状態）である。外枠２、内枠１、シート４と、４Ｖライン張力帯６の位置関係を示す。
【図６】この発明の一実施形態を示す側面図（トイレ利用時に便座まで内枠１が下がった状態）と正面図である。側面図では、お尻がシート４の張力の緩みにより便座にソフトランディングしている。正面図では、内枠１が下がるにつれシート４が緩むイメージを示す。
【図７】この発明の一実施形態を示す上面図（便座に着座している状態）と上面図である。側面図では、背もたれ部床５１は起き上がり、足部床５３は収納され、足は床に着いている。上面図では、シート４は後方へ巻き取られ、トイレの使用が可能な状態である。
【図８】この発明の一実施形態を示す側面図と正面図である。チャンバー３と、トイレ、内枠１，外枠２，シート４の位置関係の詳細図である。
【図９】この発明の一実施形態を示す側面図と正面図である。内枠１が回転した時の、シート４の緩みの状態を示す。
【図１０】この発明の一実施形態を示す側面図である。内枠１が回転した時、シート４の緩みを水平に保つための仕組みを示す。
【発明を実施するための形態】
【０００９】この発明の一実施形態を図１から図１０に示す。図１は、全体構成のイメージ図である。図２から図７は実施形態を上面図と側面図、さらに、（足部から見た）正面図で示している。図８から図１０は便座へのソフトランディングをするための構成と動作の詳細図である。
図１は、全体の構成イメージ図である。一番下には、洋式水洗トイレ（フラッシュバルブ式トイレに乾燥機能付き洗浄便座装着）を設置。
その上には、ベッドの外枠２がある。外枠２には内枠１が組み込まれ、回転軸８を中心に０度〜α度まで回転出来る構成である。
内枠２の臀部の部分の位置にはチェンバー３及び回転に伴うシート４の緩みと傾きを補正する水平バー７がついている。水平バー７は、外枠２に付けたＬ字フック９に掛けることで水平を保つ。
その上には、高張力のメッシュシート４を敷く。シート４の上にＶライン張力帯６を置き張力を補完する。
その上にベッド５がある。ベッド５は背もたれ部床５１と臀部下部床５２と足部床５３の３つに分割の構成である。
図２は、水洗トイレ、外枠２，内枠１，チャンバー３、チャンバーの開口部３２の位置関係を示す。内枠１は外枠２に対して０度〜α度まで回転軸８で回転する構成となっており、内枠１がα度までの回転すると、利用者は便座へ着座することとなり、用便が可能となる。
図３は、ベッド５は背もたれ部床５１，臀部下部床５２，足部床５３の３つに分割されており、モーターＡにより背もたれ部床５１を起こされ足部床５３がしゅうのうされる。尚、臀部下部床５２は、手動で取り外す。モーターＢは内枠の回転及びトイレの蓋の開閉を行う。
図４は、シート４の形状と他の構成品と位置関係を示す。シート４はメッシュタイプの高張力対応を使う。形状はＴ字とし臀部に当たる部分を広く取る。臀部のシートは、外枠２と内枠１に掛かるように設置する。外枠２と内枠１が同じ高さの時に、張っている状態とする。
図５は、Ｖ字ライン張力帯６と他の構成品との位置関係を示す。Ｖ字ライン張力帯６は臀部下部床５２を取り外した時の充分な張力を維持補完する。
図６は、トイレ利用時の状態を示す。臀部下部床５２は取り外され、背もたれ部床５１はモーターＡにより起こされていく。同時に内枠１もモーターＢにより起こされていき、シート４は、内枠１が外枠２に対して回転して下がっていくので、張り緩んできていく。シートの張力と相まって、便座へのソフトランディング（柔らかな便座への着座）を行う。
図７は、水洗トイレを利用可能な状態を示している。モーターＡのより、背もたれ部床５１は十分な位置まで起きているので、利用者は便座へ着座出来る。その後、足部床５３をモーターＡにより邪魔にならないように収納する。シート４は後方へ巻き取るように移動させ、トイレが利用可能になる。
因みに、この時、モーターＢにより、便座の蓋も開放している。トイレ利用後は、トイレのウオッシュレット機能でお尻を洗浄するが、それで取り切れない汚れについては、チャンバー３の温水噴出口３１よりの温水で洗浄する。
図８は、臀部の洗浄機能をもつチャンバー３と他の構成品との位置関係を示す。チャンバー３の開口部３２は、水洗トイレの開口部と合致するようになっている。
図９は、図８において内枠１がα度回転して、便座に着座可能になった時の、チャ他の構成品との位置関係を示す。利用者トイレを利用する時点での位置関係である。
図１０は、内枠１が外枠２に対して回転することで、シート４が緩む場合に水平を維持するための機構である。外枠２に取り付けたＬ字フック８に水平バー７掛けることにより水平を維持し、シート４の緩みを均一とする。
【実施形態の効果】
【００１０】  この実施形態によれば、ベッドから移動が困難な場合における機能（排便）と利用者の心理的圧迫のみならず、心地良さも重視した排泄システムを提供できる。このシステムではかなりの程度自力で出来、トイレまで一人で行けない身障者・難病患者・高齢者が、羞恥心と無縁に、通常のトイレと同じ感覚で排便・排尿が出来るようになり、排泄が楽なものとなる。
【他の実施形態】
本実施形態では、モータＡとモータＢとしているがモーターは、一つでも複数個でもよい。シート４はＴ字型としているが他の形状でも構わない。ベッドは３分割としているが３分割以上でもよい。臀部下部床５２は手で取り外すとしているが電動でもよい。水平バー７をＬ字フックに掛けるとしているが他の形状でも構わない。
【符号の説明】
【００１１】１    （ベッドの）内枠
２    （ベッドの）外枠
３    チェンバー（室、空間）
３１  （チェンバーの）温水噴出口
３２  （チェンバーの）開口部（水洗トイレ面）
４    シート（メッシュタイプ）
４１  （シートの）張力調整器
５    ベッド
５１  （ベッドの）背もたれ部床
５２  （ベッドの）臀部下部床
５３  （ベッドの）足部床
６    Ｖライン張力帯
７    水平バー
８    回転軸
９    Ｌ字フック
【図１】
2016077828.tif 000003
【図２】
2016077828.tif 000004
【図３】
2016077828.tif 000005
【図４】
2016077828.tif 000006
【図５】
2016077828.tif 000007
【図６】
2016077828.tif 000008
【図７】
2016077828.tif 000009
【図８】
2016077828.tif 000010
【図９】
2016077828.tif 000011
【図１０】
2016077828.tif 000012